(57)【特許請求の範囲】
【請求項１】
着座面となる下面（１６）と、前記下面（１６）と対向する位置に形成された上面と、前記上面と下面（１６）とを繋いで逃げ面となる側面と、前記上面と下面（１６）を貫通する取付け穴を有し、前記上面からの正面視において前記上面と前記側面とがなす交叉稜線（１９）が長辺と短辺とで構成された略平行四辺形をなし、前記長辺と短辺の交叉稜線（１９）が形成する２つの鋭角部には円弧状の切刃（１５）を有するコーナー部（１１）が形成され、前記コーナー部（１１）と隣り合う前記短辺側の前記側面と前記長辺側の前記側面とをそれぞれ逃げ面（１２、１３）とし、前記円弧状の切刃（１５）を含む前記上面をすくい面（１４）とした略平行四辺形平板状をしたインサート（１）において、前記円弧状の切刃（１５）を含む前記すくい面（１４）は、前記短辺側及び前記長辺側へ向かうに従って、前記すくい面（１４）よりも前記下面（１６）方向に後退したそれぞれの上面（１８）、（１８）に連なり、前記上面（１８）の一方と前記短辺側の側面とがなす交叉稜線（１９）と、前記上面（１８）の他方と前記長辺側の側面とがなす交叉稜線（１９）とは、切刃として作用しない稜線とされ、前記切刃（１５）の円弧半径をｒ（ｍｍ）としたとき、前記ｒは０．４≦ｒ≦２．５、に設定され、前記切刃（１５）の長さをＬ（ｍｍ）としたとき、前記Ｌは１／４円弧を超えて長く、３／８円弧よりも短く設定されていることを特徴とするインサート。
【請求項２】
着座面となる下面（１６）と、前記下面（１６）と対向する位置に形成された上面と、前記上面と下面（１６）とを繋いで逃げ面となる側面と、前記上面と下面（１６）を貫通する取付け穴を有し、前記上面からの正面視において前記上面と前記側面とがなす交叉稜線（１９）が長辺と短辺とで構成された略平行四辺形をなし、前記長辺と短辺の交叉稜線（１９）が形成する２つの鋭角部には円弧状の切刃（１５）を有するコーナー部（１１）が形成され、前記コーナー部（１１）と隣り合う前記短辺側の前記側面と前記長辺側の前記側面とをそれぞれ逃げ面（１２、１３）とし、前記円弧状の切刃（１５）を含む前記上面をすくい面（１４）とした略平行四辺形平板状をしたインサート（１）において、前記円弧状の切刃（１５）を含む前記すくい面（１４）は、前記短辺側及び前記長辺側へ向かうに従って、前記すくい面（１４）よりも前記下面（１６）方向に後退したそれぞれの上面（１８）、（１８）に連なり、前記上面（１８）と前記長辺側の側面とがなす交叉稜線（１９）の回転軌跡は、前記円弧状の切刃（１５）の最外周回転軌跡（５）の半径よりも小さく設定され、前記切刃（１５）の円弧半径をｒ（ｍｍ）としたとき、前記ｒは０．４≦ｒ≦２．５、に設定され、前記切刃（１５）の長さをＬ（ｍｍ）としたとき、前記Ｌは１／４円弧を超えて長く、３／８円弧よりも短く設定されていることを特徴とするインサート。
【請求項３】
請求項１または請求項２に記載のインサート（１）において、前記上面からの平面視において前記短辺側の交差稜線（１９）と前記長辺側の交差稜線（１９）とが鋭角で交わるコーナー部（１１）のコーナー角度をα（度）としたとき、前記角度αは、７０≦α≦８５、に設定されていることを特徴とするインサート。
【請求項４】
請求項１または請求項２に記載のインサート（１）において、前記コーナー部（１１）を含む上面のすくい面（１４）は、前記短辺側へ向かうに従って前記下面（１６）方向に連続的に後退して、前記一方の上面（１８）に連なり、前記上面のすくい面（１４）は、前記長辺側へ向かうに従って前記下面（１６）方向に連続的に後退して他方の上面（１８）に連なっていることを特徴とするインサート。
【請求項５】
請求項１から請求項４のいずれかに記載のインサート（１）を、工具ホルダ先端部のインサート取付け座に着脱自在に装着したことを特徴とする刃先交換式切削工具。
【請求項６】
請求項５に記載の刃先交換式切削工具において、前記刃先交換式切削工具の工具径が２０ｍｍ以下であることを特徴とする刃先交換式切削工具。
【発明の詳細な説明】
【技術分野】
【０００１】
本願発明は、回転式切削工具に装着されるインサート、及びこのインサートを取付けた刃先交換式転削工具に関する。
【背景技術】
【０００２】
回転式切削工具に装着されるインサート、及びインサートを取付けた刃先交換式転削工具に関する技術が、以下の特許文献１から３に開示されている。
【０００３】
【特許文献１】特開２００５−２８５３６号公報
【特許文献２】特開２００５−４０９２４号公報
【特許文献３】特開２００３−２７５９１９号公報
【発明の開示】
【発明が解決しようとする課題】
【０００４】
本願発明は、切削抵抗の増大を抑え、優れた刃先強度を有し、高能率な加工ができるインサート及びこのインサートを取付けた刃刃先交換式切削工具を提供することである。
【課題を解決するための手段】
【０００５】
本発明の請求項１に係る発明は、着座面となる下面（１６）と、前記下面（１６）と対向する位置に形成された上面と、前記上面と下面（１６）とを繋いで逃げ面となる側面と、前記上面と下面（１６）を貫通する取付け穴を有し、前記上面からの正面視において前記上面と前記側面とがなす交叉稜線（１９）が長辺と短辺とで構成された略平行四辺形をなし、前記長辺と短辺の交叉稜線（１９）が形成する２つの鋭角部には円弧状の切刃（１５）を有するコーナー部（１１）が形成され、前記コーナー部（１１）と隣り合う前記短辺側の前記側面と前記長辺側の前記側面とをそれぞれ逃げ面（１２、１３）とし、前記円弧状の切刃（１５）を含む前記上面をすくい面（１４）とした略平行四辺形平板状をしたインサート（１）において、前記円弧状の切刃（１５）を含む前記すくい面（１４）は、前記短辺側及び前記長辺側へ向かうに従って、前記すくい面（１４）よりも前記下面（１６）方向に後退したそれぞれの上面（１８）、（１８）に連なり、前記上面（１８）の一方と前記短辺側の側面とがなす交叉稜線（１９）と、前記上面（１８）の他方と前記長辺側の側面とがなす交叉稜線（１９）とは、切刃として作用しない稜線とされ、前記切刃（１５）の円弧半径をｒ（ｍｍ）としたとき、前記ｒは０．４≦ｒ≦２．５、に設定され、前記切刃（１５）の長さをＬ（ｍｍ）としたとき、前記Ｌは１／４円弧を超えて長く、３／８円弧よりも短く設定されていることを特徴とするインサートである。
また、本発明の請求項２に係る発明は、着座面となる下面（１６）と、前記下面（１６）と対向する位置に形成された上面と、前記上面と下面（１６）とを繋いで逃げ面となる側面と、前記上面と下面（１６）を貫通する取付け穴を有し、前記上面からの正面視において前記上面と前記側面とがなす交叉稜線（１９）が長辺と短辺とで構成された略平行四辺形をなし、前記長辺と短辺の交叉稜線（１９）が形成する２つの鋭角部には円弧状の切刃（１５）を有するコーナー部（１１）が形成され、前記コーナー部（１１）と隣り合う前記短辺側の前記側面と前記長辺側の前記側面とをそれぞれ逃げ面（１２、１３）とし、前記円弧状の切刃（１５）を含む前記上面をすくい面（１４）とした略平行四辺形平板状をしたインサート（１）において、前記円弧状の切刃（１５）を含む前記すくい面（１４）は、前記短辺側及び前記長辺側へ向かうに従って、前記すくい面（１４）よりも前記下面（１６）方向に後退したそれぞれの上面（１８）、（１８）に連なり、前記上面（１８）と前記長辺側の側面とがなす交叉稜線（１９）の回転軌跡は、前記円弧状の切刃（１５）の最外周回転軌跡（５）の半径よりも小さく設定され、前記切刃（１５）の円弧半径をｒ（ｍｍ）としたとき、前記ｒは０．４≦ｒ≦２．５、に設定され、前記切刃（１５）の長さをＬ（ｍｍ）としたとき、前記Ｌは１／４円弧を超えて長く、３／８円弧よりも短く設定されていることを特徴とするインサートである。
また、本発明の請求項３に係る発明は、請求項１または請求項２に記載のインサート（１）において、前記上面からの平面視において前記短辺側の交差稜線（１９）と前記長辺側の交差稜線（１９）とが鋭角で交わるコーナー部（１１）のコーナー角度をα（度）としたとき、前記角度αは、７０≦α≦８５、に設定されていることが好ましい。
さらに、本発明の請求項４に係る発明は、請求項１から請求項３のいずれかに記載のインサート（１）において、前記コーナー部（１１）を含む上面のすくい面（１４）は、前記短辺側へ向かうに従って前記下面（１６）方向に連続的に後退して、前記一方の上面（１８）に連なり、前記上面のすくい面（１４）は、前記長辺側へ向かうに従って前記下面（１６）方向に連続的に後退して他方の上面（１８）に連なっていることが好ましい。
【０００６】
また、本発明の請求項５に係る発明は刃先交換式切削工具であって、この刃先交換式切削工具は請求項１から請求項４のいずれかに記載のインサート（１）を、工具ホルダ先端部のインサート取付け座に着脱自在に装着したことを特徴としている。
さらに、本発明の請求項６に係る発明は請求項５に記載の刃先交換式切削工具であって、この刃先交換式切削工具の工具径が２０ｍｍ以下であることを特徴としている。
【発明の効果】
【０００７】
本願発明は、切削抵抗の増大を抑え、優れた刃先強度を有し、高能率な加工ができるインサート及びこのインサートを装着した刃先交換式切削工具を提供することができる。
【発明を実施するための最良の形態】
【０００８】
図１は本願発明のインサート１の実施形態を示す斜視図である。図２に示す本願発明の刃先交換式切削工具は、本願発明のインサート１を工具ホルダ２に取付けたものである。図１に示すように、本願発明のインサート１は概略平行四辺形平板状を有した基本形状を成している。インサート１は、上面と側面の交叉稜線上であって、向い合う鋭角にはコーナー部１１が形成されている。コーナー部１１を挟んで隣り合う短辺側の側面を逃げ面１２、長辺側の側面を逃げ面１３としている。コーナー部１１を含む上面をすくい面１４としている。コーナー部１１には曲線、又は直線を含む略円弧状の切刃１５を有している。逃げ面１２、１３は、下面１６から上面に向かって外側に傾斜する側面として形成されている。すくい面１４は、着座面をなす下面１６と対向して上面側に形成されている。インサートの上面の略中央部には、上面と下面を貫通する穴が設けられている。これは、インサートを工具用ホルダにクランプネジを通して固定するための取付け穴１７である。この取付け穴１７を中心に１８０度回転させ、装着向きを変えることにより、同一のインサートで２つの切刃を使用できる。
図３、４に本願発明のインサート１の図を示す。図３に示すように、本願発明のインサート１において、切刃１５がコーナー部１１を含む上面から短辺側及び長辺側へ向かうに従って下面方向に後退すること、即ち、コーナー部１１に連なる上面１４を厚み方向に後退させることで、後退した上面１８と側面１２とがなす交叉稜線は、切刃として作用しない稜線１９となる。図４に示すように、取付け穴１７を有する略平行四辺形平板状をしたインサートの切刃１５は曲線、又は直線を含む略円弧状である。また、切刃１５の長さをＬ（ｍｍ）としたとき、Ｌは１／４円弧を超えて長く、３／８円弧よりも短い。Ｌを上記の範囲とすることによって、切刃強度を向上させることができる。しかし、切刃１５が長いと被削材との接触長さが増加し切削抵抗の増大を招くこととなってしまう。そこで、切刃１５が後退することによって、本願発明のインサートは、被削材との接触長さの増加と切削抵抗の増大とを回避し、刃先強度に優れ、コーナー部に大きな半径を備えたインサートが実現可能となる。従って、Ｌ値が１／４円弧を超えて長く、３／８円弧よりも短いインサートにおいても、切削抵抗の増加がなく、高能率な加工ができる。
【０００９】
切刃１５の円弧半径であるｒ値は、０．４≦ｒ≦２．５、であることが好ましい。また、略平行四辺形平板状をしたインサートの上面からの正面視による短辺と長辺とが鋭角で交わるコーナー部のコーナー角度であるα値は、７０≦α≦８５、であることが好ましい。この理由は、刃先強度を確保するうえで好ましい範囲となるからである。
【００１０】
本願発明のインサートにおいて、切刃１５がコーナー部を含む上面から短辺側及び長辺側へ向かうに従って下面方向に後退することが好ましい。この理由は、切刃１５が連続的に後退し、そのときの形状は直線形状、又は曲線形状であることが切刃強度に優れるために好ましい。特に曲線形状であるとき、この曲線が円弧状である場合は、その半径は０．３ｍｍ以上であることが好ましい。これによって、インサートの破損起点となる角部を形成することがなく、切刃強度に優れたインサートを実現できる。
【００１１】
図２の中に刃先交換式切削工具の回転軌跡を示す。この工具の回転軌跡は、切刃１５の最外周回転軌跡５を示す。一方、本願発明のインサートにおいて、切刃１５を下面方向に後退させることで生じた稜線１９の回転軌跡は、切刃１５の最外周回転軌跡５の半径よりも小さくなる。従って、この稜線１９は、切刃として作用することがなく、被削材の加工面との接触を避けることができる。
本願発明の刃先交換式切削工具は、例えば、切刃１５のコーナー半径が２ｍｍのインサートを用いても、切削抵抗の増大を抑え、ビビリ振動の発生が殆どみられない。また別の形状を有するインサートと共に工具ホルダの共通使用が可能となる利便性を有し、優れた刃先強度を生かして高能率な加工ができるような刃先交換式切削工具である。
また、本願発明のインサートは、Ｌが１／４円弧を超えて長いという特徴があるので、被削材の加工面との接触を避けることに関しても好都合となる。また、Ｌが３／８円弧よりも短い場合、切刃１５が側面から受ける切削力は軽減し、工具突出し量が長い場合においても工具のたわみは抑えられ、ビビリ振動を抑制することができる。この効果により、低切込み高送り用途に特に適している。この加工能率に優れた低切込み高送り加工での軸方向切込み量は、最大で２ｍｍ程度であることから、切刃１５から稜線１９への移行部分の切刃長さは最大でも３ｍｍ以下とすることが好ましい。３ｍｍ以下とすることによって、被削材から受ける切削力は軽減し、工具のたわみが抑えられる。従って、工具突出し量が長い場合においてもビビリ振動は抑制され、高能率な加工を実現できる。一方、３ｍｍを超える場合には切削抵抗の増大を招き加工能率の低下が著しくなる。また別の視点から、この移行部分の形状は、被削材の加工壁面に転写されることがあるため、加工壁面の品位を重要視する場合には、移行部分の切刃長さは最大でも３ｍｍ以下とすることが好ましい。
【００１２】
本願発明の刃先交換式切削工具は、小型の金型や部品などの加工用として最近増加している、連続動力が２．５から７．３ｋＷのＢＴ３０主軸に代表される主軸を備えた小型マシニングセンタに最適な刃先交換式切削工具であり、特に、工具径が２０ｍｍ以下の刃先交換式切削工具であることが好ましい。
【００１３】
本願発明のインサートを工具ホルダに固定する際に、インサートの位置決め、及び拘束に関与する側面はインサートの幅方向に後退することが無く、インサート側面の幅方向への後退に伴う下面形状の変化も無い。従って着座面となる下面１６の形状の変化と面積の減少を回避することができるので、専用のホルダを必要とせず、既存のホルダを共通使用できる利便性を備えている。つまり、本願発明のインサートは、従来の９０度肩壁削り用ホルダにも取付け可能である。その様子を図５に示す。図５は本願発明のインサート１を図６の工具ホルダに取付ける様子を示す。また図５では、本願発明のインサート１の代わりに、図７、図８に示した従来の９０度肩壁削り用インサート３、４であっても、同じ工具ホルダに取付けられることを示す。この理由は、本願発明のインサートが、側面を後退させること無く、実質的にインサートの側面形状、着座面となる下面形状やその位置を維持しているからである。従って、工具ホルダ形状を変更することなく、既存のホルダを共通使用できるため、ホルダの多能化を実現できる。
本願発明のインサートは、ＢＴ３０主軸に代表される主軸を備えた小型マシングセンタで高能率な粗加工を行うことを目的としており、そのインサートを支える工具ホルダは、高剛性、高強度であり、連続して粗加工を行っても破損等が発生しないものが必要である。そこで図９に示すように、本願発明の刃先交換式転削工具は、インサート取付け座２１の工具ホルダ座面２２と側壁２３が交叉する谷部２４に、工具ホルダの奥壁２５から表面側端部２６に向かう方向での途中からバックメタルを増加させた肉残し部２７を設けることが好ましい。工具径が２０ｍｍ以下の工具用ホルダを採用することで、最小限のホルダ着座面の損失においても有効的に応力集中を緩和し、バックメタルの増加による強度改善を実現できる。肉残し部２７における工具ホルダの表面側端部２６での断面はＲ０．６（ｍｍ）、若しくはＣ０．６（ｍｍ）より大きな断面形状であることが好ましい。上記より、工具ホルダ破損等の事故を防止しつつ、切削抵抗も大幅に低減出来るので、ＢＴ３０主軸に代表される主軸を備えた小型マシングセンタでも、高送りを主体とした高能率切削が可能である。本願発明のインサート及びこれを備えた刃先交換式転削工具の実施例についての説明を以下に行うが、本願発明がこれに限定解釈されるものでない。
【実施例】
【００１４】
(実施例１)
実施例１は、切刃長さの異なる本発明例１と従来例２、３の３種類のインサートを準備して、以下に示す切削条件１を用いて加工能率を比較した。使用したインサートの基本形状は、直径１０ｍｍの転削工具用ホルダに取付け可能なインサートとして、内接円が４ｍｍ、厚さが２ｍｍ、α値を７４から７５度とした。本発明例１と従来例２のｒ値は２ｍｍ、従来例３のｒ値は０．４ｍｍとした。また、使用した転削工具用ホルダの材質はＨＲＣ４５の工具鋼とし、形状は図６に示すように、谷部２４に面取り等の加工を施していないＡタイプのものを使用した。評価には、縦型、最大主軸動力５．５ｋＷ、ＢＴ３０主軸を備えた小型マシニングセンタを使用した。またインサート形状と評価結果を表１に示した。
（切削条件１）
加工形態：等高線加工
被切削材：炭素鋼Ｓ５０Ｃ
切削速度：１６０ｍ／ｍｉｎ
工具送り速度：８１５３ｍｍ／ｍｉｎ
軸方向切込み量：０．３ｍｍ
半径方向切込み量：６ｍｍ
加工方法：乾式切削
【００１５】
【表１】
0005152693.tif 000002
【００１６】
表１に示すインサート切刃長さＬ値の定量化は、ＣＡＤ上で作図した工具モデルより線情報を読み取り数値化した。その結果、Ｌ値は本発明例１にインサートが、３．４６２ｍｍ、従来例２が、７．２３６ｍｍ、従来例３が、５．８９２ｍｍであった。ｒ値が同一の２ｍｍとした本発明例１と従来例２を比較すると、本発明例１は従来例２よりも約５２％の切刃長さの短縮が可能であった。このことから、低切込み高送りを目的とした高能率加工を行った際に発生する切削抵抗を抑え安定して高能率加工を行うことができた。単位時間当たりの切屑排出量（ｃｍ３／分）で評価した加工能率について、本発明例１は従来例２と比較して３３％改善した。
【００１７】
（実施例２）
実施例２は、実施例１と同じ形状の本発明例１と従来例２の２種類のインサートを用いて、以下に示す切削条件２により、キスラー動力計にて切削抵抗を測定しながら、限界の切削送り速度を評価した。本発明例１と従来例２の切刃の長さは、実施例１と同じである。１刃当たりの工具送り量ｆｚ（ｍｍ／刃）は、０．２、０．４、０．６、０．８の４条件とした。表１に実施例２の切削試験の結果を示す。
（切削条件２）
加工形態：等高線粗加工、下穴有、ＸＹが１００ｍｍ、Ｚが１０ｍｍのポケット掘込み加工
被切削材：炭素鋼Ｓ５０Ｃ、
工具寸法：全長８０ｍｍ
工具突出し量：３０ｍｍ
工具直径：１２ｍｍ、３枚刃
インサート寸法：内接円４ｍｍ、厚さ２ｍｍ、逃げ角１５度
切削速度：１６０ｍ／分
軸方向切込み量：０．３ｍｍ
半径方向切込み量：６ｍｍ
加工方法：乾式切削
表１に示す切削抵抗値（Ｎ）は７ｍｍ以上掘り込んだポケット形状の角部、つまり工具の移動軌跡が丁度９０度方向転換する部分での値であり、切削抵抗の最大値を示している。本発明例１と従来例２について切削抵抗値を比較すると、本願発明１の切削抵抗は、ｆｚ値が０．２の時で１５％、ｆｚ値が０．６の時で２３％の低減した。ｆｚ値が高いほど本願発明の優位性が顕著に現れ、特に高能率加工に適していた。また、ｆｚが０．８の場合、従来例２はビビリ振動の発生によりインサートは欠損し切削加工を中断した。本発明例１は機械振動も小さく、安定切削が可能であった。単位時間当たりの切屑排出量による加工能率は、本発明例１は従来例２に対して約１．３倍の高能率な加工ができた。
【００１８】
（実施例３）
実施例３は、実施例１と同じ形状の本発明例１と従来例２の２種類のインサートを用いて、以下に示す切削条件３により、工具突き出し量が８０ｍｍの場合における限界切削条件を評価した。本発明例１と従来例２の切刃の長さは、実施例１と同じである。
（切削条件３）
加工形態：等高線粗加工、下穴有、ＸＹが１００ｍｍ、Ｚが１０ｍｍのポケット掘込み加工
被切削材：炭素鋼Ｓ５０Ｃ
工具寸法：全長１２０ｍｍ、超硬合金製シャンク使用
工具突出し量：８０ｍｍ
工具直径：１２ｍｍ、３枚刃
インサート寸法：内接円４ｍｍ、厚さ２ｍｍ、逃げ角１５度
切削速度：１６０ｍ／ｍｉｎ
軸方向切込み量：０．３ｍｍ
半径方向切込み量：６ｍｍ
加工方法：乾式切削
【００１９】
本発明例１は切刃の後退した上面によって、切刃として作用しない稜線の領域が存在しているため、側面から受ける切削力は軽減し、工具のたわみが抑えられた。これによって、ビビリ振動は抑制され、限界切削条件としては、ｆｚ値は０．６ｍｍ／刃、軸方向の切込み量は０．３ｍｍまで切削加工できた。従来例２は、ｒ値が２ｍｍの場合であり、比較的刃先強度を有することから、限界切削条件としては、ｆｚ値は０．６ｍｍ／刃まで欠損なしで切削加工できたが、軸方向切込み量が０．２ｍｍを超えるとビビリ振動が発生し切削不可能であった。従来例３はｒ値が０．４ｍｍの場合であり、刃先強度が低いことから、ｆｚ値は０．２ｍｍ／刃が限界値であり、０．２５ｍｍ／刃以上の条件ではコーナー部に欠損を起こした。また、軸方向切込み量が０．２ｍｍを超えるとビビリ振動が発生し切削不可能であった。
また、単位時間当たりの切屑排出量を比較すると、本発明例１は１０．３２（ｃｍ３／分）であった。従来例２の６．８８（ｃｍ３／分）、従来例３の２．２９（ｃｍ３／分）であることから、本発明例１の加工能率は約１．５倍から４．５倍と優れ、突き出し量の長い場合においても高能率な粗加工ができた。
【００２０】
(実施例４)
実施例４は転削工具用ホルダの形状についての検討を行った。そこで、工具用ホルダの形状は次の３種類を準備した。即ち、インサート取付け座のホルダ座面とホルダ側壁が交叉する谷部に面取り等の加工を何ら施していない図６に示すＡタイプ、この谷部にＲ０．４ｍｍの面取り加工を施した図１０に示すＢタイプとバックメタルを増加させた構造を有する図９に示すＣタイプとの３種類である。前記Ｂ、Ｃタイプにおける面取り加工部分やバックメタルを増加させた肉残し部２７の形状は、ネジ穴に干渉しない範囲となるように配慮した。またＣタイプの肉残し部２７は、ホルダ表面側先端部２６での断面形状が約Ｒ０．８に収まる形状とした。これらの工具用ホルダに、本発明例１のインサートを夫々装着し、以下の切削条件４を用いて切削試験を行った。評価は、転削工具用ホルダが破損するまでの時間で測定した。なお、Ｂタイプ、Ｃタイプの転削工具用ホルダに安定したインサートの拘束を行うため、面取り加工部位やバックメタルを増加部位とインサートの下面とが干渉しないように、インサート下面側に適切な切り欠きを施した。
（切削条件４）
加工形態：肩削り加工
被切削材：炭素鋼Ｓ５０Ｃ
工具寸法：全長１２０ｍｍ、超硬合金製シャンク
工具突出し量：８０ｍｍ
工具送り速度：１２７００ｍｍ／ｍｉｎ
工具直径：１２ｍｍ、３枚刃
インサート寸法：内接円４ｍｍ、厚さ、２ｍｍ、逃げ角、１５度
切削速度：１６０ｍ／ｍｉｎ
軸方向切込み量：０．３ｍｍ
半径方向切込み量：６ｍｍ
加工方法：乾式切削
まず、各種工具ホルダの着座面とインサート下面との接触面積を計算により求め比較した。Ａタイプのインサート取付け座の接触面積を基準値としたとき、Ｂタイプの接触面積の損失は２２．８％、Ｃタイプの接触面積の損失は１２．２％であった。次に、切削試験の結果では、Ａタイプの工具ホルダを用いた場合は、４１分の切削時間で破損し、Ｂタイプの工具ホルダは１１８分の切削時間で破損した。Ｃタイプの工具ホルダを用いた場合は、６００分の切削においてもクラックの発生は確認されず継続切削可能な状態であった。この結果から、Ｃタイプの工具ホルダは大幅な強度改善が達成された。Ｃタイプのバックメタルを増加させた肉残し部は、ホルダ表面側に向かって集中する応力を緩和させる効果があり、小スペースで有効的に応力集中を緩和して、工具ホルダの強度を改善できた。ここで言う、有効的に応力集中を緩和するとは、インサート下面とホルダ座面との接触面積の減少量に対する応力集中の緩和効果が優れているということである。工具径が２０ｍｍ以下の刃先交換式切削工具において、工具ホルダを破損させることなく、高能率な切削加工を連続して行うことができた。
【図面の簡単な説明】
【００２１】
【図１】本願発明のインサートの斜視図を示す。
【図２】本願発明の刃先交換式切削工具の斜視図を示す。
【図３】図１の左側面図を示す。
【図４】図１の上面図を示す。
【図５】インサートを工具ホルダへ取付ける模式図を示す。
【図６】タイプＡの工具用ホルダの斜視図を示す。
【図７】従来のインサートの斜視図を示す。
【図８】従来のインサートの斜視図を示す。
【図９】タイプＣの工具用ホルダの斜視図を示す。
【図１０】タイプＢの工具用ホルダの斜視図を示す。
【符号の説明】
【００２２】
１：インサート
２：工具ホルダ
３：インサート
４：インサート
５：工具の最外周回転軌跡
１１：コーナー部
１２：短辺側の逃げ面
１３：長辺側の逃げ面
１４：すくい面
１５：切刃
１６：下面
１７：取付け穴
１８：後退した上面
１９：稜線
２１：インサート取付け座
２２：工具ホルダ座面
２３：工具ホルダ側壁
２４：工具ホルダ谷部
２５：工具ホルダ奥壁
２６：工具ホルダ表面側端部
２７：工具ホルダ肉残し部
【図１】
0005152693.tif 000003
【図２】
0005152693.tif 000004
【図３】
0005152693.tif 000005
【図４】
0005152693.tif 000006
【図５】
0005152693.tif 000007
【図６】
0005152693.tif 000008
【図７】
0005152693.tif 000009
【図８】
0005152693.tif 000010
【図９】
0005152693.tif 000011
【図１０】
0005152693.tif 000012